(57)【特許請求の範囲】
【請求項１】
シェル（２）、複数車輪のための支持（３）、および、前記シェルに滑動可能に連結される腰皮（７）からなるインライン式ローラスケート（１）であって、前記シェルに関し前記腰皮の選択的軸方向移動のための滑動手段（９）からなり、前記腰皮の選択的軸方向移動のための滑動手段が、前記腰皮（７）の下面（１１）の下へ突出する第２の耳部（１２）からなり、前記支持（３）の基礎内に形成される前記第１の座部（９）に滑動可能に配列されるインライン式ローラスケートにおいて、縦方向断面では、前記第２の耳部（１２）が長円形を有し、第２の座部（１３）が前記第２の耳部（１２）に対し横断して形成され、前記第２の耳部（１２）に横断して配列される１組の歯部（１４）は少なくとも１つの表面において前記第２の座部（１３）で形成され、前記腰皮の選択的軸方向移動のための前記滑動手段の追加部品が前記第２の座部（１３）内に配列され、前記追加部品は、前記１組の歯部（１４）に対し補足的に歯付けされ、前記支持（３）に対し横断して配列される軸状部（１６）を有する少なくとも１つの車輪（１５）によって構成されることを特徴とするインライン式ローラスケート。
【請求項２】
前記シェルが、逆Ｕ字形として形付けられ、複数の車輪を支持するように適合される下部支持と一体形成されていて、前記シェルが後部、くるぶし領域で、同一軸を有した２つの第１穴（６ａ、６ｂ）が配設された２つの第１の耳部（５ａ、５ｂ）を有するインライン式ローラスケートにおいて、軸回転部材が前記第１穴（６ａ、６ｂ）に配列され、前記腰皮に対して横方向に形成される２つの溝（８）に配置し、前記支持（３）に関し縦方向の軸に沿って位置することを特徴とする請求項１に記載のスケート。
【請求項３】
前記腰皮の選択的軸方向移動のための手段が、前記シェルと支持の共通する基礎で軸状に形成される第１の座部（９）によって構成され、そこでは、前記腰皮の下平面表面が滑動可能に静止していることを特徴とする請求項２に記載のスケート。
【請求項４】
前記支持（３）の基礎内に形成される前記第１の座部（９）に滑動可能に配列され、前記腰皮（７）の下面の下へ突出する第２の耳部（１２）が、前記腰皮（７）の軸方向移動を可能にする為に、前記第１の座部とほぼ同じ幅であり、前記第１の座部より短い長さになっていることを特徴とする請求項３に記載のスケート。
【請求項５】
前記車輪（１５）が、その端部で軸回転し、前記支持（３）のウィング（４ａ、４ｂ）内にそれぞれ形成される第２と第３の穴（１７、１８）で自由回転でき、前記第２と第３の穴が同一軸を有することを特徴とする請求項１に記載のスケート。
【請求項６】
使用者により把持されるレバー（１９）を使って前記車輪（１５）に動きが与えられることを特徴とする請求項５に記載のスケート。
【請求項７】
前記レバー（１９）が、ねじ（２１）を使って前記軸状部（１６）の端部で鍵をかけられる第３の耳部（２０）によって構成されることを特徴とする請求項６に記載のスケート。
【請求項８】
前記第３の耳部（２０）の時計周り或は反時計周りの回転が第4の耳部（２２）によって補助され、前記第４の耳部（２２）は前記第３の耳部（２０）にしっかりと或は回転的に接続され、該第３の耳部（２０）に選択的に閉じることを特徴とする請求項７に記載のスケート。
【請求項９】
前記第４の耳部（２２）から突出し、および、前記第２の穴（１７）に隣接した領域内の前記支持のウィング（４ａ、４ｂ）の一方（４ａ）に形成される第４の穴（２４）で選択的に係合される歯部（２３）のような保持手段からなることを特徴とする請求項８に記載のスケート。
【発明の詳細な説明】
【０００１】
【発明の属する技術分野】
本発明は、インライン式ローラスケートに関する。
【０００２】
【従来の技術】
インライン式ローラスケートは、一般に、逆U字形に成形され、ブーツと連結された支持によって構成されている。
【０００３】
これら通常のスケートは、第一番目に、製造および在庫の両方において、異なる足の寸法に応じて異なる寸法のブーツを提供するということの問題が存在している、という短所を有する。
【０００４】
一方で、このことは、限定数の寸法での生産となり、このことによって、使用者は、彼の足の特定寸法には適合しない寸法のブーツを購入せざるを得なくなるため、厚手のソックスの利用など工夫した救済策に頼ることにより、快適さを増大させつつ、足の作用力を最適な方法でスケートへ伝達することが出来るように余分な空隙を埋めるようにする。
【０００５】
本願と同一の出願人のイタリア特許１．２５７．６０３は、車輪のための支持と一体であり且つ上方向領域および後部方向において開いているシェルと、それぞれ後部方向および上方向領域において、前記シェルと滑動的および択一的に連結される腰皮および舌状部とからなるものであって、後部方向へ使用者のための把持手段を有する前記腰皮からなるインライン式ローラスケートを開示している。スケートは、支持に連結されたフレームに、スナップ動作によって連結されるブレーキを有する。
【０００６】
前記スケートは、腰皮の下部表面で縦方向に形成された２つの第１座部によって構成される係合手段を有する。腰皮とシェルの間の選択結合は、シェルの側方表面に形成された第１の穴によって生じ、シェルの側方表面に対し側方向に形成された第２の穴は第１の穴と相互作用をし、シェルに向かって腰皮に適用された縦方向の動き如何で、夫々の穴が同一軸を有し、スタッドを利用して互いの連結を可能とする。
【０００７】
【発明が解決しようとする課題】
このスケートもまた次の理由による短所を有する。その理由とは、意図する位置決めを達成させるにおいて、但し、その位置決めはいずれの場合においても常に最適とはならないが、種々の部品を手動で作動させることが必要であり、また種々の位置から選択可能ではあるが、分離していて、連続ではない前記穴を重ね合わせる必要があるため寸法の調整が容易ではないということである。
【０００８】
【課題を解決するための手段】
本発明の意図は、個々の使用者の特定な解剖学上の要件に適合するようにインライン式ローラスケートの寸法を連続的且つ正確に変化させることが可能な該インライン式ローラスケートを提供することにより引例の先行技術にある短所を除去することにより、前述の技術的問題を解決することにある。
【０００９】
一つの目的は、スケーターが即座に且つ簡単に調整ができるインライン式ローラスケートを提供することにある。
【００１０】
上記の意図、目的および、下記において明瞭となる他の目的は、記載の請求項で請求されるインライン式ローラスケートによって達成される。
【００１１】
他の目的は、添付図面と一緒に考慮されなければならない以下の説明の中で明瞭となり、該図面は非限定的な例によって特定した実施例を記述するのものである。
【００１２】
【発明の実施の形態】
添付図面に関しては、図面は可変寸法の特定な実施例であり、各々の参照番号は同一或は等価な部分を指示するものであることに留意すれば、参照番号１は、下部支持３と一体成形されるシェル２を含むローラスケートを指示する。支持３は逆Ｕ字形として形成され、不図示の複数の互いのインライン車輪を支持するウィング４aと４bを有する。
【００１３】
シェル２は後方向へ向かった、くるぶし領域に第１の２つの耳部５aと５bを有する。夫々の耳部５a、５bは、該穴は、腰皮７のための同一の滑動接続軸を有する第１の穴６a、６bを有する。
【００１４】
軸頭とリべットは前記第１の穴に配列され、２つの溝８に横たわり、該溝は腰皮に対して横方向に形成され、支持３に関して縦方向となる軸に沿って配列される。
【００１５】
腰皮７の選択的な軸方向の移動のための手段は、シェルに連結され、第１座部９によって構成されいて、該第１座部９は、シェル２と共有した支持３の基礎１０で軸方向に形成され、そこには腰皮７の下表面11が滑動可能に置かれている。
【００１６】
腰皮７の選択的軸移動のための手段は、腰皮７の下表面１１の下に突出し、支持３の基礎１０に形成された第１の座部９に滑動可能に配列されうる第２の耳部１２からなる。
【００１７】
第２の耳部１２の幅は、前記第１の座部９とほぼ同じであり、長さは、該座部よりも短いため、腰皮７の軸方向移動が可能となっている。
【００１８】
縦断方向の断面では、第２の耳部１２は長円形を有し、第２の座部１３はそれに対し横断するよう形成される。第２の耳部１２に対し横断して配列される１対の歯部１４は、第２の座部で少なくとも１つの表面において形成される。
【００１９】
前記腰皮の選択的な軸移動のための手段の付加部品は、第２の座部１３内で配列される。前記部品は車輪１５により構成され、該車輪は、前記１対の歯部１４に対し補足的に歯付きされ、前記支持３に対し横断して配列された軸状部１６を有する。車輪１５は、第２の穴１７と第３の穴１８とで自由回転可能にその端部で軸回転され、それらの穴は、支持３のウィング４aおよび４b内にそれぞれ形成され、同一軸を有している。
【００２０】
車輪１５はレバー１９によって動かされ、該レバーは例えば第３の耳部２０によって構成される。該第３の耳部２０は、ねじ２１を使って軸状部１６と車輪１５の軸で鍵締めができる。
【００２１】
前記第３の耳部２０の時計周りまたは反時計周りの回転は第４の耳部２２によって与えられ、それはしっかりと或は回転的に第３の耳部２０に接続され、選択的にその上で閉じられる。
【００２２】
意図した位置を維持るために、例えば、第4の耳部２２から突出している歯部２３のような保持手段もあり、それは、第2の穴１７に隣接した領域内で支持3のウィング４ａ内に形成された、例えば第4の穴２４のために選択的に係合できる。
【００２３】
従って、本発明の使用は次の通りである。一度、前記腰皮が支持３に適合されたならば、使用者は第4の穴24から歯部２３を取外し、それから第4の耳部２２を把持し、車輪１５に時計周り或は反時計周りの回転を強制的に与える。
【００２４】
この方法では、軸状部１６は、前記シェル或は支持に関して、第２の耳部１２に軸方向の移動、ひいては、腰皮７に軸方向の移動を強制的に与える。
【００２５】
従って、使用者は、特定な要件に従って、シェルに関して腰皮の位置に細かい変化を与えることができる。
【００２６】
以上から、描写した解法は、スケートの寸法を連続的且つ正確に変化させることが可能で、個々の利用者の特定な解剖学的要件に適合するスケートが提供するため意図した目標と目的を達成することが分かった。
【００２７】
更に、車輪１５を利用することによる位置の調整は、特別な道具を利用することなく或はスケートを構成する部分を分解すること無しに、スケーターによって素早く且つ簡単にできる。
【００２８】
本発明によるスケートは、請求項に記載の範囲において数々の修正や変化が可能である。
【００２９】
例えば、多くの第１或は第２の穴のようなスケートの個々の部品を構成する材料や寸法は、勿論特定な要件に従って変化しうる。
【図面の簡単な説明】
【図１】ローラースケートの部品を部分的に拡大した斜視図である。
【図２】ローラースケートの縦方向、中央面に沿ったローラスケートの断面図である。
【図３】腰皮の選択的軸方向移動ための手段を通過する横断平面に沿ったローラスケートの縦方向断面図である。
【符号の説明】
１      ローラースケート
２      シェル
３      支持
４ａ    ウィング
４ｂ    ウィング
５ａ    第１の耳部
５ｂ    第１の耳部
６ａ    第１の穴
６ｂ    第１の穴
７      腰皮
８      溝
９      第１の座部
１０    基部
１２    第２の耳部
１３    第２の座部
１７    第２の穴
１６    軸状部
１９    レバー
２２    第４の耳部
【図１】
0004308362.tif 000002
【図２】
0004308362.tif 000003
【図３】
0004308362.tif 000004